(57)【要約】【課題】収納されている除細動器を使用するに当たり、当該除細動器が使用されている状態を容易かつ迅速に救急センターへ伝送することができるようにする。【解決手段】細動が生じた心臓に電気ショックを与えることにより除細動処置を施すＡＥＤ３０が収納された外装ハウジング２０およびこの外装ハウジング２０の開口を開閉可能に閉止する上部開閉ドア２７とが備えられてなるＡＥＤスタンド１０において、ＡＥＤ３０を使用する状態になっているか否かを判別するモード判別部５１１と、モード判別部５１１がＡＥＤ３０を使用する状態になっていると判別したとき、この状態を示す信号を第１通信回線L１を介して救急センター８１に向け出力するインタフェース５４とを備えた制御装置５０が設けられている。【選択図】図６
2007244804.tif 000002
【特許請求の範囲】
【請求項１】
スタンド本体に設けられ、除細動器を収納する、開口を有する収納部と、前記収納部の開口を開閉可能に閉止する蓋体とを備えた除細動器収納スタンドにおいて、
前記除細動器の前記収納部からの取り出しを検出する検出部と、
前記検出部により前記除細動器が前記収納部から取り出されたと検出されたとき、第１の通信回線を介して緊急信号を救急センターに送信する信号送信部とを備えたことを特徴とする除細動器収納スタンド。
【請求項２】
前記緊急信号は、除細動器収納スタンドを識別する識別情報を含んでいることを特徴とする請求項１記載の除細動器収納スタンド。
【請求項３】
前記検出部は、前記開口の開閉を検出する開閉センサである請求項１または２記載の除細動器収納スタンド。
【請求項４】
前記検出部は、前記除細動器が前記収納部から取り出されたことを検出する取り出しセンサである請求項１または２記載の除細動器収納スタンド。
【請求項５】
報知部と、該報知部の動作を制御する制御手段とを備え、前記制御手段は、前記検出部が前記除細動器の前記収納部からの取り出しを検出したとき、前記報知部に前記除細動器の使用手順を報知する報知信号を出力することを特徴とする請求項１乃至４のいずれかに記載の除細動器収納スタンド。
【請求項６】
各種の情報を記憶する記憶手段を備え、前記制御手段は、前記検出部が前記除細動器の前記収納部からの取り出しを検出していない間に、前記記憶手段から各種の情報を前記報知部に出力させることを特徴とする請求項５記載の除細動器収納スタンド。
【請求項７】
前記記憶装置が記憶している各種の情報は、第２の通信回線を介して情報源から更新的に書き込まれることを特徴とする請求項６記載の除細動器収納スタンド。
【請求項８】
前記収納部は、前記スタンド本体の略中央に設けられ、前記報知部は、画像を表示する表示面を有する画像表示装置であって、表示前記収納部の上部に設けられていることを特徴とする請求項１乃至７のいずれかに記載の除細動器収納スタンド。
【請求項９】
前記緊急信号の送信を停止する操作部を有することを特徴とする請求項１乃至８のいずれかに記載の除細動器収納スタンド。
【発明の詳細な説明】
【技術分野】
【０００１】
本発明は、突然生じた心臓の心房細動および心室細動を電気ショックで正常に戻す除細動器が収納された除細動器収納スタンドに関するものである。
【背景技術】
【０００２】
従来、非特許文献１に記載されているような除細動器が知られている。この除細動器は、突然の心臓の異変で心房の収縮がなくなり心房が細かい波状で動く心房細動や、心室の収縮がなくなり心室が細かい波状で動く心室細動が生じた際、これらの細動を除いて正常な脈動に戻すべく、心臓に直流の高圧電流を与えて心臓全体を同時に同時に収縮させ得る状態にする救急機材である。
【０００３】
かかる除細動器は、低電流を高電圧で放電する本体と、本体からの高電圧を生体に接触させた状態で印加する電極（パッド）とを備えて構成され、パッドを介して最大出力で略４００Ｗ（ワット）の電力を瞬間的（１．５〜４．０ｍｓｅｃ）に印加するようになされている。かかる電気ショックを心臓に与えることで、心房および心室がばらばらに活動した状態で細かく波打つ細動が抑えられ、心臓全体が同時に収縮するようになって細動が解消されるといわれている。そして、心臓で細動が発生したときには、除細動器によるのが唯一の救命方法であるとされている。
【０００４】
因みに、近年の心臓細動による死亡者数は年間略４００００人といわれ、その内、２００００人〜３００００人が病院外で突然死しているといわれている。交通事故による死亡者数が年間略８０００人であることと比較して心臓細動による死亡者数が略５倍と非常に多く、しかも救命率は５％以下であり、除細動器の普及が望まれている。
【０００５】
従来、除細動器は、法的な制約から医師でなければ操作することができなかったが、近年、上記のような状況に鑑み、法改正によって所定の範囲で一般人が取り扱うことが可能になったことから、最近では医療機関ではもちろんのこと、駅やホテルなど人が多数集う場所に設置されるようになってきた。因みに、国内全体で略４０００台の除細動器が設置されているが、米国の略３０万台には遠く及ばない。しかも、駅やホテルなどに設置された一般人向けの除細動器は略２０００台と少なく、これらの場所への普及が嘱望されている。
【０００６】
ところで、このような除細動器は、単に人の集まる場所に設置しておくだけでは、心臓発作で倒れた人がいても除細動器の設置場所が判らなかったり、たとえ設置場所が判っても一般人が咄嗟に使用することは困難であるため、通常、目立ちやすい塗装がなされたポストのような縦長の収納容器（以下、ＡＥＤ（ａｕｔｏｍａｔｅｄ  ｅｘｔｅｒｎａｌ  ｄｅｆｉｂｒｉｌｌａｔｏｒ）スタンドという）に収納されているとともに、扉を開けて除細動器（以下、ＡＥＤという）を取り出し当該ＡＥＤの電源を入れると、ＡＥＤの取り扱い手順が自動的に音声出力されるようになっている。
【０００７】
従って、心臓発作で倒れた人（被救助者）を発見した場合、手近にいる人（救助実行者）がＡＥＤスタンドの扉を開けてＡＥＤを取り出し当該ＡＥＤの電源を入れると、音声出力によって当該ＡＥＤの操作手順が示されるため、救助実行者はこの音声による案内どおりにパッドを被救助者の心臓周りに装着し、高電圧の印加のためのスイッチ操作を行うことができる。
【０００８】
また、ＡＥＤには、その筐体の表面にＬＣＤ（Ｌｉｑｕｉｄ  ｃｒｙｓｔａｌ  ｄｉｓｐｌａｙ）等からなる表示装置が設けられ、この表示装置に被救助者の心電図が表示されるようになっているため、救助実行者はこの心電図を視認することで被救助者の心臓の状態を確認することができる。
【０００９】
因みに、特許文献１には、ＡＥＤに伝送ディバイスが設けられ、この伝送ディバイスは、電話回線等を介して救急センターに対しリンクし得るように構成され、伝送ディバイスを介して伝送された被救助者の電気ショック後の各種データを救急センターにいる医師が判別し、救助実行者に対し音声で適切な処理を採るようにアドバイスし得るシステムが記載されている。
【特許文献１】特開２０００−１７６０２５号公報
【非特許文献１】１９８５年３月２５日平凡社発行の大百科事典第７巻第６６８頁「じょさいどうき」の欄
【発明の開示】
【発明が解決しようとする課題】
【００１０】
ところで、特許文献１に記載されたシステムにおいては、一旦ＡＥＤが伝送ディバイスを介して救急センターと繋がり、救急センターとの間で互いのデータの伝送が可能になった後は、救助実行者は、医師の適切なアドバイスを受けて適切な処置を施すことが可能であるが、伝送ディバイスを救急センターに接続するための操作については特許文献１には記載がない。しかしながら、被救助者が心臓発作により一刻を争う状態で倒れている場面において、一方で被救助者に除細動器のパッドを装着し、他方でおそらく面倒な操作が必要と考えられる伝送ディバイスの接続操作を行わなければならないとなると、適正な救助活動が困難になるという問題点が存在する。
【００１１】
本発明は、かかる状況に鑑みなされたものであって、収納されている除細動器を使用するに当たり、当該除細動器が使用されている状態を容易かつ迅速に救急センターへ伝送することができる除細動器収納スタンドを提供することを目的としている。
【課題を解決するための手段】
【００１２】
請求項１記載の発明は、スタンド本体に設けられ、除細動器を収納する、開口を有する収納部と、前記収納部の開口を開閉可能に閉止する蓋体とを備えた除細動器収納スタンドにおいて、前記除細動器の前記収納部からの取り出しを検出する検出部と、前記検出部により前記除細動器が前記収納部から取り出されたと検出されたとき、第１の通信回線を介して緊急信号を救急センターに送信する信号送信部とを備えたことを特徴とするものである。
【００１３】
かかる構成によれば、心臓発作による被救助者の心臓の微細道を元の正常な脈動に回復させるべく除細動器が使用される状態になったときには、その状態が信号送信部により緊急信号として救急センターに送信されるため、救助実行者は、心臓発作の被救助者が発生したことを救急センターに電話連絡等で知らせるという面倒な作業を行うことなく、被救助者に対する除細動器による細動解消のための操作に専念することができる。
【００１４】
従って、救急センターに対する連絡に手間取っている間に除細動の操作が遅れて間に合わなくなってしまったり、除細動が解消したが救急センターによるアフターケアーに到るまでに手間取ってしまったりし、これによって救命に失敗するような不都合の発生が有効に防止される。
【００１５】
請求項２記載の発明は、請求項１記載の発明において、前記緊急信号は、除細動器収納スタンドを識別する識別情報を含んでいることを特徴とするものである。
【００１６】
かかる構成によれば、除細動器収納スタンドと救急センターとが一対一の回線で結ばれておらず、多数の除細動器収納スタンドが救急センターと結ばれているような場合であっても、信号送信部が救急センターに出力する緊急信号に、除細動器収納スタンドを識別する識別情報が含まれているため、救急センターに対し、どの除細動器収納スタンドから信号が送信されたかが報知可能となる。
【００１７】
請求項３記載の発明は、請求項１または２記載の発明において、前記検出部は、前記開口の開閉を検出する開閉センサであることを特徴とするものである。
【００１８】
かかる構成によれば、信号送信部は、蓋体が開放されるとそのことを検出した開閉センサからの検出信号に基づき救急センターに向けて除細動器が使用される状態になっている旨の信号を送信する。
【００１９】
請求項４記載の発明は、請求項１または２記載の発明において、前記検出部は、前記除細動器が前記収納部から取り出されたことを検出する取り出しセンサであることを特徴とするものである。
【００２０】
かかる構成によれば、除細動器がスタンド本体から取り出されるとこのことを検出した取り出しセンサからの検出信号に基づき信号送信部は、救急センターに向けて除細動器が使用される状態になっている旨の信号を送信する。このように、除細動器がスタンド本体から取り出されないと信号送信部からの信号が救急センターに向けて出力されないため、誤って蓋体が開放されても救急センターに信号が伝送されることがなく、実際に除細動器を使用する状況ではないにも拘わらずに救急センターからの出動がなされるような不都合の発生が防止される。
【００２１】
請求項５記載の発明は、請求項１乃至４のいずれかに記載の発明において、報知部と、該報知部の動作を制御する制御手段とを備え、前記制御手段は、前記検出部が前記除細動器の前記収納部からの取り出しを検出したとき、前記報知部に前記除細動器の使用手順を報知する報知信号を出力することを特徴とするものである。
【００２２】
かかる構成によれば、除細動器の使用に当たり、救助実行者は、制御手段の制御に基づき報知部が報知する手順により被救助者に対して除細動器を使用することができるため、除細動器は、誤りのない正しい方法で迅速に使用される。
【００２３】
請求項６記載の発明は、請求項５記載の発明において、各種の情報を記憶する記憶装置を備え、前記制御手段は、前記検出部が前記除細動器の前記収納部からの取り出しを検出していない間に、前記記憶装置から各種の情報を前記報知部に出力させることを特徴とするものである。
【００２４】
かかる構成によれば、除細動器が使用されていない状態において、報知部は、各種の情報を報知する道具として使用される。
【００２５】
請求項７記載の発明は、請求項６記載の発明において、前記記憶装置が記憶している各種の情報は、第２の通信回線を介して情報源から更新的に書き込まれることを特徴とするものである。
【００２６】
かかる構成によれば、除細動器収納スタンドから離間した場所に設けられた記憶装置が記憶している各種の情報が第２の通信回線を介して簡便かつ迅速に更新される。
【００２７】
請求項８記載の発明は、請求項１乃至７のいずれかに記載の発明において、前記収納部は、前記スタンド本体の略中央に設けられ、前記報知部は、画像を表示する表示面を有する画像表示装置であって、表示前記収納部の上部に設けられていることを特徴とするものである。
【００２８】
かかる構成によれば、除細動器がスタンド本体の略中央に設けられた収納部に収納されているため、緊急時に取り出し易い。また、表示面を有する画像表示装置が収納部の上部に設けられているため見易い。
【００２９】
請求項９記載の発明は、請求項１乃至８のいずれかに記載の発明において、前記緊急信号の送信を停止する操作部を有することを特徴とするものである。
【００３０】
かかる構成によれば、例えば除細動器使用の模擬訓練等を行ったり、除細動器のメンテナンス作業を行ったりするために蓋体を開放する必要があるときは、操作部の操作により信号送信部が救急センターに向けて信号を出力しないようにすることができ、これによって蓋体を開放しても緊急信号が救急センターへ送信されることはない。
【発明の効果】
【００３１】
請求項１記載の発明によれば、救助実行者は、心臓発作の被救助者が発生したことを救急センターに電話連絡等で知らせるという面倒な作業を行なわなくても除細動器を使用する状況であることが自動的に救急センターに送信されるため、被救助者に対する除細動器による細動解消のための操作に専念することができ、これによって救急センターへの連絡に手間取っている間に被救助者への除細動の操作が遅れて手遅れになってしまったり、除細動が解消したが救急センターによるアフターケアーに到るまでに手間取ってしまったりして救命に失敗するような不都合の発生を有効に防止することができる。
【００３２】
請求項２記載の発明によれば、救急センターにおいては、送信されてきた識別信号から、除細動器収納スタンドを特定することができる。
【００３３】
請求項３記載の発明によれば、被救助者が発生したときの初動動作である蓋体の開放により、開閉センサが蓋体開放の検出信号を発信し、信号送信部は、この検出信号に基づき救急センターに向けて除細動器が使用される状態になっている旨（すなわち、被救助者が発生した旨）の信号を送信するため、救急センターへの被救助者発生を極めて迅速に伝えることができる。
【００３４】
請求項４記載の発明によれば、除細動器がスタンド本体から取り出されないと信号送信部からの信号が救急センターに向けて出力されないため、誤って蓋体が開放されても救急センターに信号が伝送されることがなく、実際に除細動器を使用する状況ではないにも拘わらずに救急センターからの出動がなされるような不都合の発生を有効に防止することができる。
【００３５】
請求項５記載の発明によれば、除細動器の使用に当たり、救助実行者は、報知部が報知する手順に基づき被救助者に対し除細動器を使用することができるため、除細動器を誤りのない正しい方法で迅速に使用することができる。
【００３６】
請求項６記載の発明によれば、除細動器が使用されていない状態において、報知部を、各種の情報を報知する道具として使用することができる。
【００３７】
請求項７記載の発明によれば、除細動器収納スタンドから離間した場所に設けられた記憶装置が記憶している各種の情報を第２の通信回線を介して簡便かつ迅速に更新することができる。
【００３８】
請求項８記載の発明によれば、除細動器がスタンド本体の略中央に設けられた収納部に収納されているため、緊急時に取り出し易くすることができる。また、表示面を有する画像表示装置が収納部の上部に設けられているため当該画像表示装置を極めて見易くすることができる。
【００３９】
請求項８記載の発明によれば、スイッチ操作で信号送信部から救急センターに向けて信号を出力しないようにすることができるため、例えば蓋体を開放して除細動器使用の模擬訓練等を行ったり、除細動器のメンテナンス作業を行ったりすることができる。
【発明を実施するための最良の形態】
【００４０】
図１および図２は、本発明に係る除細動器収納スタンド（以下、ＡＥＤスタンドという）の一実施形態を示す斜視図であり、図１は、上部開閉蓋が閉止された状態、図２は、上部開閉蓋が開放された状態をそれぞれ示している。図１および図２に示すように、ＡＥＤスタンド１０は、直方体状を呈した縦長の外装ハウジング（スタンド本体）２０の中にＡＥＤ（自動体外式除細動器）３０と、このＡＥＤ３０に電力を供給する電源装置４０と、前記ＡＥＤ３０が使用される状態になったとき（すなわち、心臓発作をおこした人に対し救急的にＡＥＤ３０を使用する状況になったとき）にそのことを救急センターに報知するべく制御する制御装置（制御手段）５０とが内装されているとともに、外装ハウジング２０の前面側に各種の情報を出力する表示装置６０が設けられた基本構成を有している。
【００４１】
前記外装ハウジング２０は、平面視で矩形状を呈する底板２１と、この底板２１の左右の縁部から立設された左右方向一対の側板２２と、底板２１の後縁部から立設された背面板２３と、底板２１の前縁部から立設された前面板２４と、これら一対の側板２２、背面板２３および前面板２４の上縁部間に架設されて上方の開口を閉止した天板２５とを備えている。かかる外装ハウジング２０の内部は、所要間隔を置いてそれぞれ水平にして配置された３枚のセパレートボード２６によって上下方向で４室に区分されている。
【００４２】
そして、外装ハウジング２０内において、最上位のセパレートボード２６と天板２５との間には、制御装置５０を収納する制御装置収納室Ｖ１が形成され、最上位のセパレートボード２６と上から２番目のセパレートボード２６との間には、ＡＥＤ３０を収納するＡＥＤ収納室Ｖ２が形成され、上から２枚目のセパレートボード２６と上から３番目のセパレートボード２６との間には、救急活動を行った後に周囲の環境を清浄化するためのバケツやモップ、さらには雑巾、ホースなどを収納するための関連物品収納室Ｖ３が形成され、上から３枚目のセパレートボード２６と底板２１との間には、電源装置４０を収納する電源装置収納室Ｖ４が形成されている。
【００４３】
特にＡＥＤ収納室Ｖ２は、上下方向の中央部乃至は若干下方位置に配設された、当該ＡＥＤ収納室Ｖ２を上下で２分する仕切り板２６１が設けられ、前記ＡＥＤ３０は、ＡＥＤ収納室Ｖ２内において仕切り板２６１上に収納されている一方、仕切り板２６１の下部には、救急処置で必要とされる包帯、ティッシュペーパー、タオル、擦り傷などを対象とした外傷薬等が収納されている。
【００４４】
そして、前記制御装置収納室Ｖ１に対応した前面板２４の表面側には画像出力を行うべく、ＬＣＤ（Ｌｉｑｕｉｄ  ｃｒｙｓｔａｌ  ｄｉｓｐｌａｙ）からなる表示装置（報知部）６０が設けられている。この表示装置６０は、前面板２４の上部に設けられた横長の画面を有する第１表示部（報知部、画像表示装置）６１と、この下部に設けられた第１表示部６１より面積が大きい略正方形状を呈する第２表示部（報知部、画像表示装置）６２とを備えている。これら第１および第２表示部６１，６２は、制御装置５０の制御に基づき所定の情報を表示するようになされているが、これの詳細については後述する。
【００４５】
前記外装ハウジング２０の前面板２４における前記ＡＥＤ収納室Ｖ２に対応した部分には、矩形状の開口が形成されているとともに、この開口に対し開閉可能に装着された上部開閉ドア（蓋体）２７が設けている。この上部開閉ドア２７は、右側部の上下から互いに反対方向に向けて突設された上下一対のドア軸２７１（図２）を有している。
【００４６】
そして、かかる上部開閉ドア２７は、上部のドア軸２７１が直上方のセパレートボード２６に穿設された図略の支持孔に嵌入されるとともに、下部のドア軸２７１が直下のセパレートボード２６に穿設された図略の支持孔に嵌入されることにより、これらドア軸２７１回りに回動自在に軸支され、これによって、ＡＥＤ収納室Ｖ２を閉止した図１に示す閉止姿勢と、ＡＥＤ収納室Ｖ２を開放した図２に示す開放姿勢との間で姿勢変更可能になっている。
【００４７】
また、上部開閉ドア２７には、その上部に板ガラスが嵌め込まれた矩形状の覗き窓２７２が設けられ、この覗き窓２７２を通してＡＥＤ収納室Ｖ２内に収納されているＡＥＤ３０を視認することができるようになっている。
【００４８】
さらに、上部開閉ドア２７には、その左縁部に把手部材２７３が設けられている。この把手部材２７３は、押圧ボタン２７３ａと、この押圧ボタン２７３ａの直下位置に出没可能に設けられた把手２７３ｂとを備え、押圧ボタン２７３ａをプッシュすることにより上部開閉ドア２７のロックが外れるとともに、把手２７３ｂが外方に向かって突出するようになされている。把手部材２７３には施錠構造は設けられていない。従って、緊急時に誰でも押圧ボタン２７３ａを押圧操作することで把手２７３ｂを突出させ、この把手２７３ｂを把持して上部開閉ドア２７を開放することができるようになっている。
【００４９】
前記前面板２４における関連物品収納室Ｖ３に対応した部分には、前記上部開閉ドア２７と同様の開閉構造を備えた下部開閉ドア２８が設けられている。かかる下部開閉ドア２８にも前記把手部材２７３と同様の把手部材２８１が設けられているが、下部開閉ドア２８の把手部材２８１にはキーホールを備えた施錠構造が設けられている。従って、下部開閉ドア２８を開けるに際しては、所定のキーが必要になる。
【００５０】
前記電源装置収納室Ｖ４と対応した背面板２３には、扉によって閉止された図略のメンテナンス開口を有し、電源装置４０は、必要に応じこのメンテナンス開口を介してメンテナンス操作が施されるようになっている。
【００５１】
前記天板２５には、その中央位置に赤色救急ランプ２９が設けられている。この赤色救急ランプ２９は、ＡＥＤ３０がＡＥＤ収納室Ｖ２から取り出されたときに点滅し、これによって心室細動による心臓発作を起こした人にＡＥＤ３０による救急処置が施されつつあることを周囲の人に報知するようになっている。
【００５２】
図３は、ＡＥＤ収納室Ｖ２内の様子を説明するべく上部開閉ドア２７が開放された状態を示すＡＥＤスタンド１０の部分斜視図である。なお、図３におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。
【００５３】
図３に示すように、ＡＥＤ収納室Ｖ２には、２つのリミットスイッチ７０が設けられている。これらのリミットスイッチ７０としては、外装ハウジング２０の左方の側板２２の前縁部に設けられた上部開閉ドア２７の開閉状態を検出する第１リミットスイッチ（開閉センサ）７１と、仕切り板２６１の上面中央部に設けられた仕切り板２６１上にＡＥＤ３０が収納されているか否かを検出する第２リミットスイッチ（取り出しセンサ）７２とが採用されている。
【００５４】
かかるリミットスイッチ７０は、検出対象物（第１リミットスイッチ７１の場合は上部開閉ドア２７、第２リミットスイッチ７２の場合はＡＥＤ３０）の方向に向かって所定の付勢部材の付勢力により突設された操作片を有し、検出対象物が操作片を押圧することで当該検出対象物を検出するようになっている。
【００５５】
従って、上部開閉ドア２７が閉止されることにより上部開閉ドア２７の側縁部が第１リミットスイッチ７１の操作片を押圧し、これによって上部開閉ドア２７が閉止されたことが第１リミットスイッチ７１によって検出される一方、上部開閉ドア２７が開放されることによる操作片に対する押圧解除で上部開閉ドア２７が開放されたことが第１リミットスイッチ７１によって検出されるようになっている。第２リミットスイッチ７２についても同様であり、仕切り板２６１上にＡＥＤ３０が存在するか否かが第２リミットスイッチ７２によって検出されるようになっている。
【００５６】
また、外装ハウジング２０の前面板２４の適所（図１〜図３に示す例では、上部開閉ドア２７と第２表示部６２との間における左方位置）に、モード切替えボタン７３が設けられているとともに、このモード切替えボタン７３の右隣に解説ボタン７４が設けられている。
【００５７】
前記モード切替えボタン７３は、ＡＥＤスタンド１０が実際にＡＥＤ３０を用いて救急活動を行うことができる態勢に設定された救急モードと、ＡＥＤスタンド１０が演習のためにＡＥＤ３０を模擬的に用いる状態とされた演習モードとの間で切り替えるためのものである。ＡＥＤスタンド１０は、普段、救急モードに設定されており、モード切替えボタン７３が押釦されることによってＡＥＤスタンド１０は、救急モードから演習モードに切り替えられる。
【００５８】
さらに、ＡＥＤ収納室Ｖ２内の適所（図３に示す例ではＡＥＤ収納室Ｖ２内の左方上部）にはスピーカ（報知部）７９が設けられ、このスピーカ７９によりＡＥＤ３０の使用に関する説明等が音声で出力されるようになっている。
【００５９】
図４は、ＡＥＤ３０の一実勢形態の外観を示す図であり、図４（Ａ）は、ＡＥＤ３０がケース３９に収納された状態を示す斜視図、図４（Ｂ）は、ケース３９から取り出されたＡＥＤ３０を示す一部切欠き斜視図である。なお、図４におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。
【００６０】
まず、図４（Ａ）に示すように、ＡＥＤ３０は、普段、ケース３９に収納された状態で、図２に示すように、外装ハウジング２０内のＡＥＤ収納室Ｖ２に保管されている。ケース３９は、硬質の合成樹脂によって形成され、ケース本体３９１と、このケース本体３９１に開閉可能に付設された蓋体３９２とを備えている。蓋体３９２は、その一縁部（図４（Ａ）に示す例では右縁部）が蝶板３９３を介してケース本体３９１の対応した縁部に連結され、蝶板３９３回りに正逆回動されることにより開閉し得るようになっている。
【００６１】
ケース本体３９１の左側面には、把手３９４が設けられているとともに、把手３９４の近傍におけるケース本体３９１の縁部と、この縁部と対向した蓋体３９２の縁部とには互いに対向した部品からなるロック手段３９５が設けられ、蓋体３９２が閉止されることによりこのロック手段３９５により自動的に蓋体３９２の閉止状態がロックされる一方、蓋体３９２に設けられたロック解除ボタン３９６を押釦することによりロック手段３９５のロックが解除されるようになっている。
【００６２】
前記ＡＥＤ３０は、図４（Ｂ）に示すように、平面視で矩形状を呈したＡＥＤ本体３１と、このＡＥＤ本体３１の一縁部に付設された外観視で円筒状を呈する外気吸引部３２と、ＡＥＤ本体３１から供給される高電圧を被救助者に印加するための一対の電極パッド３３とを備えて構成されている。
【００６３】
前記ＡＥＤ本体３１には、充電用のバッテリや、このバッテリの充電電流を所定の高電圧に昇圧する昇圧回路の回路部が内装されているとともに、適所に図略のバッテリインジケータが設けられ、このバッテリインジケータを視認することによってバッテリの残量を確認することができるようになっている。また、ＡＥＤ本体３１の表面側の図４（Ｂ）における右方位置には電源スイッチ３１１が設けられているとともに、同左方位置には電極パッド３３を介して被救助者に高電圧を印加するためのスタートスイッチ３１２が設けられている。さらに、ＡＥＤ本体３１の表面中央部にはＬＣＤモニタ３１３が設けられている。
【００６４】
前記電源スイッチ３１１は、バッテリの電力を昇圧回路に供給するためのものであり、この電源スイッチ３１１が押釦されることによって所定の高電圧に昇圧された高電圧が電極パッド３３に供給され得る状態になる。
【００６５】
前記スタートスイッチ３１２は、高電圧を電極パッド３３を介して被救助者に印加するためのものであり、このスタートスイッチ３１２が押釦されることにより、昇圧回路で昇圧された高電圧が電極パッド３３を介して被救護者に印加されることになる。
【００６６】
前記ＬＣＤモニタ３１３は、被救助者の心電図を表示するものである。ＬＣＤモニタ３１３が心電図を表示するために、電極パッド３３には被救助者の心臓の脈拍を検出する脈拍センサが内装され、この脈拍センサが検出した脈拍が経時的なグラフとなってＬＣＤモニタ３１３に横方向にスクロール表示されるようになっている。
【００６７】
そして、本実施形態においては、ＡＥＤ本体３１の側面の適所にデータカード等の外部記憶装置３４を挿入するための挿入口３１４が設けられ、この挿入口３１４から外部記憶装置３４をＡＥＤ本体３１内に挿入することにより、ＬＣＤモニタ３１３に表示された脈拍にかかるデータが記憶されるようになっている。従って、被救助者に対する救助活動が終了した後、この外部記憶装置３４からデータを読み取ることによって当該被救助者のその後の治療に役立てることができる。
【００６８】
前記外気吸引部３２は、バッテリーや昇圧回路の駆動でＡＥＤ本体３１内が高温になるのを防止するべく、ＡＥＤ本体３１内に対し冷却処理を施すものである。かかる外気吸引部３２は、筒状を呈し、かつ、ＡＥＤ本体３１の図４における後方位置に固定された送風筒３２１と、この送風筒３２１に内装された図略の吸引ブロワとを備えて構成されている。そして、吸引ブロワの駆動で送風筒３２１の一方の端面開口から外気を吸引し、この外気をＡＥＤ本体３１内に導入した後、他方の端面開口から冷却処理後の空気を外部に排気するようになっている。
【００６９】
前記電極パッド３３は、楕円形状に設定され、導電材が混在され、全体として導電性を有する発泡性合成樹脂あるいはシリコン樹脂からなる内部コア３３１と、この内部コア３３１を囲繞した軟質の合成樹脂製のシートからなるトリム３３２とを備えて構成されている。前記内部コア３３１内の適所には、図略の前記脈拍センサが内装されている。
【００７０】
前記電極パッド３３の裏面側のトリム３３２には、粘着剤層３３３が積層され、この粘着剤層３３３が被救助者の皮膚に粘着されるようになっている。こうすることで電極パッド３３の被救助者への装着状態が安定するようになされている。また、電極パッド３３の表面側のトリム３３２には、人体の上半身を表す図形が記載されているとともに、電極パッド３３の装着位置に円印が付されている。従って、救助実行者（救助する者）は、この円印を参照することで電極パッド３３を容易に正しい位置に装着することができる。
【００７１】
かかる各電極パッド３３にはリード線３３４がそれぞれ設けられているとともに、各リード線３３４の基端側はプラグ３３５に接続されている。一方、外気吸引部３２の一方の端部（図４に示す例では右端部）にはコンセント３５が設けられ、プラグ３３５をコンセント３５に差し込むことによって電極パッド３３がＡＥＤ本体３１内の昇圧回路に電気的に接続されるようになっている。
【００７２】
図５は、ＡＥＤ３０の使用方法を説明するための説明図である。心臓に微細道が発生している被救助者に対し電気ショックによる除細動の解消処理を施すに際しては、まず、電源スイッチ３１１を押釦して、いつでも被救助者に対し高電圧を印加し得る状態にした後、直ちに一対の電極パッド３３を、図５に示すように、被救助者の心臓周りの皮膚に直接貼着する。
【００７３】
この貼着に際しては、電極パッド３３の表面側に記載された、貼着位置を円印で示す案内図を参照し、一方の電極パッド３３を心臓の真横の脇腹に貼着するとともに、他方の電極パッド３３を心臓と反対側の肩下の位置に貼着する。かかる電極パッド３３の貼着操作が完了したのちスタートスイッチ３１２を押釦する。
【００７４】
こうすることによって、ＡＥＤ３０から高電圧下での微小電流が瞬間的に一方の電極パッド３３から被救助者の心臓を通って他方の電極パッド３３へ向けて流通する、いわゆる電気ショックが被救助者の心臓に与えられることになる。この電気ショックによって心臓の細動が解消されたか否かは、ＬＣＤモニタ３１３に表示された心電図を視認することによって確認することができる。ＬＣＤモニタ３１３を視認した結果、除細動が解消されていない場合には、スタートスイッチ３１２を再度押釦することになる。
【００７５】
細動による心臓発作を起こした人に対し、ＡＥＤ３０を用いて迅速にかかる除細動処置を施すことにより、救命率が大幅に向上する。
【００７６】
ところで、近年、駅やホテルや病院、さらには遊園地や競技場などの人が多く集まる場所にＡＥＤスタンド１０が設置されようになってきたことから、心臓発作を起こした人がいた場合、直ちにＡＥＤスタンド１０からＡＥＤ３０を取り出して被救助者に対し適正に除細動処置を施すことができるようになってきたが、かかる除細動処置は基本的に応急処置であり、除細動が納まったからといって心機能が正常に復帰したということはできず、除細動が行われた被救助者を救急病院などの医療機関に迅速に送り込む必要がある。
【００７７】
そのため、従来、心臓発作で倒れた人を発見した場合、とりあえず被救助者が発生したことを消防署の救急センター（いわゆる「１１９番」）に電話連絡し、引き続き心臓マッサージによる心肺蘇生法を被救助者に施し、それでも蘇生しなかった場合には、ＡＥＤ３０による除細動を施すことが推奨されている。
【００７８】
しかしながら、実際には、救助実行者自身も気が動転していることが多く、たとえ電話が救急センターにつながっても、被救助者が発生した場所を正確に伝えることができずに手間取ることが多い。心臓発作が起こった場合、１分以内に除細動が行われると、生存退院率が略８５％以上と非常に高いのに対し、除細動が１分遅れる毎に生存退院率が１０％ずつ低下していくといわれている。このように、除細動の処置について一刻を争う場合に、救助実行者が救急センターに電話をかけることによって時間を費やすようでは、心臓発作を起こした人に対して有効な除細動の処置を施すことができないという不都合が存在するのである。
【００７９】
そこで、本発明においては、心臓発作を起こした人（被救助者）が発生した場合、そのことをＡＥＤスタンド１０の上部開閉ドア２７が開放されたことから検出し、この検出結果に基づき被救助者が発生したことを、緊急信号の形態で制御装置５０の制御によって予め設定された救急センターに通信回線を介して送信するようになされている。
【００８０】
また、本発明においては、ＡＥＤ収納室Ｖ２からＡＥＤ３０が取り出されたことを検出した場合、この検出結果に基づく制御装置５０の制御で前記第２表示部６２にＡＥＤ３０の使用方法が表示されるようになっている。
【００８１】
さらに、本発明においては、ＡＥＤ３０による救急活動が行われていない状態では、制御装置５０の制御で前記第２表示部６２に広告情報が表示されるようになされている。
【００８２】
以下、図６を基に制御装置５０の制御による通信回線を利用した救急センターへの被救助者発生データの送信処理等について説明する。図６は、制御装置５０によるＡＥＤ３０を用いた救助活動援助の制御を説明するためのブロック図である。
【００８３】
図６に示すように、ＡＥＤスタンド１０に設けられた制御装置５０は、中央演算処理装置としてのＣＰＵ（ｃｅｎｔｒａｌ  ｐｒｏｃｅｓｓｉｎｇ  ｕｎｉｔ）５１と、このＣＰＵ５１に接続された読み取り専用の記憶装置であるＲＯＭ（ｒｅａｄ  ｏｎｌｙ  ｍｅｍｏｒｙ）５２と、ＣＰＵ５１に付設された読み書き自在のＲＡＭ（ｒａｎｄｏｍ  ａｃｃｅｓｓ  ｍｅｍｏｒｙ）５３とを備えている。前記ＲＯＭ５２には、制御プログラムや制御に必要な不変データ等が記憶されている。ＲＡＭ５３は、ＣＰＵ５１の演算途中の各種データを一時的に記憶するものである。
【００８４】
そして、ＣＰＵ５１は、インタフェース（信号送信部）５４および第１通信回線L１を介して所定の救急センター８１（例えば消防署の救急センター）に電話回線を介して接続可能にされているとともに、インタフェース５４および第２通信回線L２を介して所定の広告代理店等の広告センター８２の記憶装置（情報源）８２２に接続されており、状況に応じてこれら救急センター８１およびサポートセンター８２との間で後述する信号の遣り取りを行い得るようになっている。
【００８５】
ＣＰＵ５１は、ＡＥＤスタンド１０の現在のモードを判別して各モードに対応した所定の処理を実行させるためのモード判別部（使用状態判別部）５１１と、このモード判別部５１１の判別結果に基づき各部に制御信号を出力する制御信号出力部５１２とを備えている。前記モードとしては、ＡＥＤスタンド１０が単に据え付けられたままの状態になっている通常モードと、教宣のためにＡＥＤ３０の使用方法を解説する解説モードと、実地訓練のためにＡＥＤスタンド１０から実際にＡＥＤ３０を取り出して演習を行うときの演習モードと、心臓発作を起こした人を救助するために実際にＡＥＤ３０を使用する救急モードとが設定されている。
【００８６】
前記モード判別部５１１には、第１リミットスイッチ７１、第２リミットスイッチ７２、モード切替えボタン７３および解説ボタン７４が操作されることにより発せられた信号が入力されるようになっている。モード判別部５１１は、かかる入力信号を基にＡＥＤスタンド１０のモードを判別するようになっている。
【００８７】
前記制御信号出力部５１２は、モード判別部５１１の判別結果に応じて赤色救急ランプ２９、第１表示部６１、第２表示部６２およびスピーカ７９のいずれかまたはそれらの組み合わせに対し所定の制御信号を出力し、これによって赤色救急ランプ２９、第１表示部６１、第２表示部６２およびスピーカ７９のいずれかまたはそれらを組み合わせたものがそれぞれ有している機能を実行するようになっている。
【００８８】
そして、ＣＰＵ５１のモード判別部５１１は、第１リミットスイッチ７１および第２リミットスイッチ７２が初期状態にあるとき、すなわち、上部開閉ドア２７が閉止されていてＡＥＤ３０がＡＥＤ収納室Ｖ２から取り出されていないときで、かつ、モード切替えボタン７３および解説ボタン７４が押釦されていないとき、ＡＥＤスタンド１０が通常モードに設定されていると判別する。
【００８９】
かかるモード判別部５１１は、ＡＥＤスタンド１０が通常モードであると判別した場合、第１表示部６１に対しＡＥＤスタンド１０が通常モードになっていることを示す表示出力、例えば、単にＡＥＤスタンド１０の物品名称である「ＡＥＤ（自動体外式除細動器）」という文字情報を第１表示部６１に出力させるべく、制御信号出力部５１２に指令信号を出力するようになっている。
【００９０】
制御信号出力部５１２は、かかる指令信号が入力されると、第１表示部６１へ向けてＡＥＤスタンド１０が通常モードであることを示す文字情報を出力させるための制御信号を出力するようになっている。制御信号出力部５１２が、かかる制御信号を出力し得るように、ＲＯＭ５２には、タイトル記憶部５２１が設けられ、このタイトル記憶部５２１には、前記「ＡＥＤ（自動体外式除細動器）」という文字データが記憶されている。制御信号出力部５１２は、この文字データをタイトル記憶部５２１から読み取り、この読み取った文字データを第１表示部６１に出力させる。
【００９１】
なお、タイトル記憶部５２１には、「ＡＥＤ（自動体外式除細動器）」という文字データの他に、ＡＥＤスタンド１０が解説モードに設定されていることを示す「ＡＥＤについて解説中」という文字データ、ＡＥＤスタンド１０が演習モードに設定されていることを示す「救急活動演習中」という文字データおよびＡＥＤスタンド１０が救急モードに設定されていることを示す「救急活動実行中」という文字データも記憶されている。これらのタイトル記憶部５２１が記憶している文字データは、ＡＥＤスタンド１０が対応するモードになったとき、そのことをモード判別部５１１が判別した上で制御信号出力部５１２からの制御信号に基づき第１表示部６１に出力されるようになっている。
【００９２】
また、モード判別部５１１は、ＡＥＤスタンド１０が通常モードであると判別した場合、そのことを示す信号がインタフェース５４を介してサポートセンター８２に伝送されるようになっている。サポートセンター８２には、サポートセンター８２側の制御装置８２１が設けられており、この制御装置８２１の記憶装置８２２には、ＡＥＤスタンド１０の所有者との契約で設定された各種の広告情報が記憶されている。
【００９３】
そして、サポートセンター８２の制御装置８２１は、ＡＥＤスタンド１０側のモード判別部５１１からの通常モードの信号が入力され続けている状態で、制御装置８２１の記憶装置８２２が記憶している複数の広告情報を、第２通信回線L２、インタフェース５４および制御信号出力部５１２を介して第２表示部６２へ出力させるようになっている。従って、ＡＥＤスタンド１０が通常モードに設定されている状態では、第２表示部６２に各種の広告情報が順番に所定の時間間隔で画像の形態で出力されることになる。
【００９４】
つぎに、ＡＥＤスタンド１０が通常モードに設定された状態で、解説ボタン７４が押釦されると、この押釦信号がモード判別部５１１に入力され、これによってモード判別部５１１は、ＡＥＤスタンド１０が解説モードに設定されたと判別する。そして、この判別が行われると、モード判別部５１１は、インタフェース５４および第２通信回線L２を介しサポートセンター８２の制御装置８２１へ向けて広告情報の伝送を一時中断させるべき信号を出力するとともに、制御信号出力部５１２に向けて第２表示部６２へＡＥＤ３０の使用方法に関する解説を出力させるべき指令信号を出力するようになっている。
【００９５】
すなわち、第２リミットスイッチ７２は、本発明に係る、インタフェース５４が救急センター８１に向けて信号を出力することを中止させるスイッチとしての機能を有するものである。
【００９６】
かかる状況に対応させるべく、ＲＯＭ５２には、ＡＥＤ３０についての解説データを記憶する解説データ記憶部５２２が設けられている。従って、制御信号出力部５１２は、モード判別部５１１からの指令信号が入力されると、ＲＯＭ５２の解説データ記憶部５２２に記憶されている解説データを読み取り、この解説データを第２表示部６２へ出力するため、多くの人にこの解説を読ませることでＡＥＤ３０を用いた救急処置について教宣することができる。
【００９７】
そして、第２表示部６２への解説データの出力が完了すると、モード判別部５１１は、制御信号出力部５１２から入力される出力終了信号に基づき、インタフェース５４および第２通信回線L２を介してサポートセンター８２の制御装置８２１に対して広告情報の出力再開を促す信号が出力され、これによって第２表示部６２には再び広告情報が画像の形態で出力されることになる。
【００９８】
なお、ＡＥＤスタンド１０が解説モードに設定されると、モード判別部５１１からの指令信号に基づく制御信号出力部５１２からの制御信号によって、第１表示部６１には、ＲＯＭ５２のタイトル記憶部５２１に記憶されている「ＡＥＤについて解説中」というタイトルが出力されて表示されている。
【００９９】
ついで、ＡＥＤスタンド１０が通常モードに設定された状態で、モード切替えボタン７３が押釦されると、この押釦信号がモード判別部５１１に入力され、これによってモード判別部５１１は、ＡＥＤスタンド１０が演習モードに設定されたと判別する。そして、この判別が行われると、制御信号出力部５１２は、モード判別部５１１からの指令信号に基づき、ＲＯＭ５２のＣＰＵ５１が記憶している「救急活動演習中」というタイトルを読み取り、このタイトルを第１表示部６１に向けて出力するため、第１表示部６１には、「救急活動演習中」という表示がなされる。
【０１００】
また、モード判別部５１１がＡＥＤスタンド１０のモードを演習モードと判別すると、モード判別部５１１は、インタフェース５４および第２通信回線L２を介しサポートセンター８２の制御装置８２１へ向けて広告情報の伝送を一時中断させるべき信号を出力するようになっている。
【０１０１】
そして、モード判別部５１１がＡＥＤスタンド１０を演習モードと判別した状態で演習のために上部開閉ドア２７が開放されると、第１リミットスイッチ７１が押圧状態の解消で動作してこの動作信号（すなわち、上部開閉ドア２７の開放を検出した検出信号）がモード判別部５１１へ入力される。
【０１０２】
そして、この上部開閉ドア２７開放の検出信号がモード判別部５１１へ入力されると、制御信号出力部５１２は、モード判別部５１１からの指令信号に基づき、赤色救急ランプ２９へ向けて当該赤色救急ランプ２９が点灯するための制御信号が出力され、これによって赤色救急ランプ２９が点灯するため、ＡＥＤスタンド１０の回りの人の注意を喚起することができる。因みに、本実施形態においては、第１リミットスイッチ７１を押釦することにより、赤色救急ランプ２９が消灯するようになされている。
【０１０３】
また、モード判別部５１１がＡＥＤスタンド１０を演習モードと判別した状態で、ＡＥＤ収納室Ｖ２からＡＥＤ３０がケース３９毎取り出され、これによって第２リミットスイッチ７２が動作して発信した動作信号（すなわち、ＡＥＤ３０がＡＥＤ収納室Ｖ２から取り出されたことを検出した検出信号）がモード判別部５１１に入力されると、制御信号出力部５１２は、モード判別部５１１からの指令信号に基づき第２表示部６２へ向けて制御信号を出力し、これによって第２表示部６２に対しＡＥＤ３０の具体的な使用方法を出力させるようになっている。
【０１０４】
このためにＲＯＭ５２には、実際に則したＡＥＤ３０の使用方法（ＡＥＤ３０の使用手順）が具体的に記載されたデータを記憶するＡＥＤ使用手順データ記憶部５２３が設けられている。そして、制御信号出力部５１２は、モード判別部５１１からの指令信号に基づきＲＯＭ５２のＡＥＤ使用手順データ記憶部５２３から使用手順データを読み取ってこのデータを第２表示部６２へ出力するようになっている。従って、第２表示部６２には、ＡＥＤ３０の具体的な使用手順が表示されるため、演習者は、この第２表示部６２に表示された文字情報や画像情報に基づき、例えば被救助者を模したモデルの人形等に対して電極パッド３３を装着するなどの演習を実際と同様に行うことができる。
【０１０５】
そして、演習が終了してＡＥＤ３０がＡＥＤ収納室Ｖ２内に戻されることにより第２リミットスイッチ７２が押圧されるとともに、上部開閉ドア２７が閉止されることにより第１リミットスイッチ７１が押圧されることにより、モード判別部５１１は、ＡＥＤスタンド１０のモードが通常モードに戻ったと判別し、インタフェース５４および第２通信回線L２を介してサポートセンター８２の制御装置８２１へ向けて広告情報の伝送を再開させるべき信号を伝送する。これによって、第２表示部６２には再び広告情報が画像として表示されることになる。
【０１０６】
つぎに、実際に心臓発作による被救助者が発生した場合に設定される救急モードについて説明する。心臓発作の被救助者が発生した場合は緊急を要することから、複雑な操作を行うことなく、単に上部開閉ドア２７が開放されることによる第１リミットスイッチ７１からのドア開放検出信号のみによって、モード判別部５１１に、ＡＥＤスタンド１０のモードを救急モードと判別させ、救急モードのための緊急を要する各種の処理を実行させるようになっている。
【０１０７】
すなわち、ＡＥＤスタンド１０のモードが救急モードになると、モード判別部５１１は、まず、インタフェース５４および第１通信回線L１を介して救急センター８１に設けられた制御装置８１１に向けて、当該ＡＥＤスタンド１０に予め設定されて、例えばＲＯＭ５２に格納されている、識別のための識別情報（ここでは固有の登録番号（識別情報））を伝送するようになっている。
【０１０８】
一方、救急センター８１側の制御装置８１１に付設された記憶装置８１２には、各所に設けられた複数のＡＥＤスタンド１０の登録番号およびこの登録番号と対応した住所や、また必要に応じて地図などが記憶されている。そして、心臓発作の被救助者が発生した近辺のＡＥＤスタンド１０からの登録番号が救急センター８１側の制御装置８１１へ入力されると、当該ＡＥＤスタンド１０の住所や地図等が所定の出力装置へ出力され、これによって救急センター８１の職員は、直ちに救急車を目的の場所に向けて派遣し得るようになっている。
【０１０９】
また、当該ＡＥＤスタンド１０のＣＰＵ５１の制御信号出力部５１２は、モード判別部５１１からの救急センター８１の制御装置８１１への登録番号の伝送と同時に、モード判別部５１１からの指令信号に基づき赤色救急ランプ２９へ向けてランプ点灯のための制御信号を出力するようになっている。従って、上部開閉ドア２７が開放されると同時に赤色救急ランプ２９が点灯するようになっている。
【０１１０】
さらに、モード判別部５１１が救急モードと判別すると、当該モード判別部５１１は、インタフェース５４および第２通信回線L２を介しサポートセンター８２の制御装置８２１へ向けて広告情報の伝送を一時中断させるべき信号を伝送するとともに、制御信号出力部５１２を介して第１表示部６１に「救急活動実行中」という表示を行わせるようになっている。これによってＡＥＤスタンド１０の回りの人々は、前記赤色救急ランプ２９の点灯が演習ではなく実際に心臓発作による被救助者が発生したことを知ることができるようになっている。
【０１１１】
ついで、被救助者に除細動操作を施すべくＡＥＤスタンド１０のＡＥＤ収納室Ｖ２からＡＥＤ３０がケース３９毎取り出されると、これによる第２リミットスイッチ７２の動作によって、制御信号出力部５１２は、モード判別部５１１からの指令信号に基づきＲＯＭ５２のＡＥＤ使用手順データ記憶部５２３が記憶しているＡＥＤ使用手順のデータを読み取り、このデータを第２表示部６２へ画面出力させるとともに、スピーカ７９を介してＡＥＤ３０の使用手順の内容を音声出力するようになっている。
【０１１２】
かかる赤色救急ランプ２９による音声出力を行うために、ＲＯＭ５２には、音声記憶部５２４が設けられ、この音声記憶部５２４にＡＥＤ３０の使用手順の音声データが記憶されている。そして、制御信号出力部５１２は、音声記憶部５２４からこの音声データを読み取り、スピーカ７９にこの音声データを出力させるようになされている。
【０１１３】
従って、救助実行者は、スピーカ７９の音声出力を聞きつつ第２表示部６２に表示されたＡＥＤの使用手順を確認しながら被救助者に対してＡＥＤ３０を用いた除細動の操作を確実に実行することができ、救命率の向上に貢献することができる。
【０１１４】
そして、被救助者に対する救助活動が終了すると、ＡＥＤ３０は、ケース３９に収納された状態でＡＥＤスタンド１０のＡＥＤ収納室Ｖ２へ収納され、これによる第２リミットスイッチ７２の押圧でそのことを示す検出信号がモード判別部５１１へ入力されるとともに、上部開閉ドア２７が閉止され、これによる第１リミットスイッチ７１の押圧でそのことを示す検出信号がモード判別部５１１へ入力されることにより、モード判別部５１１は元の通常モードにモード設定されたと判別し、これによって第１表示部６１には「ＡＥＤ（自動体外式除細動器）」という文字出力が行われるとともに、第２表示部６２には広告情報が画像出力された状態になる。
【０１１５】
図７および図８は、制御装置５０によるＡＥＤスタンド１０のモード設定制御のフローの一実施形態を示すフローチャートであり、図７は、当該フローチャートの前半部分、図８は、同後半部分を示している。なお、このフローチャートでは、制御が起動された直後をスタート時点とし、かつ、メンテナンスのためにＡＥＤ３０をＡＥＤ収納室Ｖ２から取り出している最中等のイレギュラーな事態が生じていない定常状態におけるものを記載している。
【０１１６】
まず、ステップＳ１では、上部開閉ドア２７が開放されたか否かが判別される。この判別は、上部開閉ドア２７が開放されたときに出力される第１リミットスイッチ７１からの検出信号によってモード判別部５１１が判別する。上部開閉ドア２７が開放されたとき（ステップＳ１でＹＥＳ）には、ＡＥＤスタンド１０のモードが救急モードに設定されてステップＳ１０以下が実行される一方、上部開閉ドア２７が開放されていないとき（ステップＳ１でＮＯ）には、ステップＳ２においてモード切替えボタン７３が押釦されたか否かが判別される。
【０１１７】
ステップＳ２でモード切替えボタン７３が押釦されたとき（ステップＳ２でＹＥＳ）には、ＡＥＤスタンド１０のモードが演習モードに設定され、ステップ２０以下が設定される一方、モード切替えボタン７３が押釦されなかったとき（ステップＳ２でＮＯ）は、ステップＳ３において解説ボタン７４が押釦されたか否かが判別される。
【０１１８】
ステップＳ３で解説ボタン７４が押釦されたとき（ステップＳ３でＹＥＳ）には、ＡＥＤスタンド１０のモードが解説モード設定され、ステップ３０以下が設定される一方、モード切替えボタン７３が押釦されなかったとき（ステップＳ３でＮＯ）は、通常モードでのままであるため、以下、通常モードの画像表示が実行される。
【０１１９】
すなわち、ステップＳ３でＮＯのとき（通常モードのとき）には、まず、第１表示部６１に当該ＡＥＤスタンド１０が通常モードに設定されていることを示す表示（例えば、前記「ＡＥＤ（自動体外式除細動器）」という表示）がなされ（ステップＳ４）、引き続きサポートセンター８２から送信された画像情報が第２表示部６２に画像表示され（ステップＳ５）、かつ、画像表示の継続中に非常に短い時間間隔でモード切り換えが行われたか否かがステップＳ６で判別される。
【０１２０】
かかる判別が行われるのは、第２表示部６２に画像表示が行われている最中であっても、心臓発作の被救助者が発生したときには、ＡＥＤ３０を用いた救助活動が最優先されるからである。因みに、本実施形態においては、モード切替えボタン７３または解説ボタン７４が押釦されたときも、ステップＳ６での判別対象としている。
【０１２１】
そして、ステップＳ６でモードの切り替えが行われたとき（具体的には、上部開閉ドア２７が開放されたとき、モード切替えボタン７３または解説ボタン７４が押釦されたとき）（ステップＳ６でＹＥＳ）には、第２表示部６２への画像表示が一時中断された（ステップＳ７でＹＥＳ）後、ステップＳ１へ戻される。
【０１２２】
ついでステップＳ１に戻り、当該ステップＳ１でＹＥＳのとき（すなわち、上部開閉ドア２７が開放されたときには、以下の救急モードのステップが実行される。すなわち、ステップＳ１０において、まず最初に心臓発作による救助者が発生した旨の信号が送信される。
【０１２３】
引き続き、第１表示部６１にＡＥＤスタンド１０のモードが救急モードに設定されたことを示す表示（例えば、前記「救急活動実行中」という表示）が行われる（ステップＳ１１）。
【０１２４】
ついで、ステップＳ１２においてＡＥＤ収納室Ｖ２からＡＥＤ３０が取り出されたか否かが第２リミットスイッチ７２からの検出信号によって判別され、ＡＥＤ３０がＡＥＤ収納室Ｖ２から取り出されたとき（ステップＳ１２でＹＥＳ）には、まず、赤色救急ランプ２９が点滅され（ステップＳ１３）、ついでＲＯＭ５２のＡＥＤ使用手順データ記憶部５２３に記憶されているＡＥＤ３０の使用手順が読み取られて第２表示部６２に表示される（ステップＳ１４）とともに、このＡＥＤ３０の使用手順の画面出力と同期してＲＯＭ５２の音声記憶部５２４に記憶されている音声情報が読み取られてスピーカ７９から音声出力される（ステップＳ１５）。
【０１２５】
かかる画面出力および音声出力によって、救助実行者は、被救助者に対し電極パッド３３の装着や電源スイッチ３１１の押釦、さらにはスタートスイッチ３１２の押釦等のＡＥＤ３０の操作を適正かつ迅速に実行することができる。
【０１２６】
そして、被救助者への除細動処置が完了した後、ＡＥＤ３０がＡＥＤ収納室Ｖ２へ収納され（ステップＳ１６でＹＥＳ）、かつ、上部開閉ドア２７が閉止される（ステップＳ１７でＹＥＳ）と、引き続き第１表示部６１に表示されていた、ＡＥＤスタンド１０のモードが救急モードであることを示す表示が通常モードを示す表示に変更され（ステップＳ１８）、さらに赤色救急ランプ２９が消灯（ステップＳ１９）された後に元のステップＳ１へ戻される。
【０１２７】
つぎに、ステップＳ２に戻り、当該ステップＳ２おいてＹＥＳの場合（すなわち、ＡＥＤスタンド１０のモードが演習モードに設定された場合）について説明する。この場合、先のステップＳ１０における救急センター８１への信号送信が行われない他は、救急モードと同一のフローが実行されるが、演習の最中に被救助者が発生したときは、被救助者の救助が優先されるようになされている点については通常モードのときと同様である。
【０１２８】
まず、ステップＳ２でＹＥＳのときには、第１表示部６１にＡＥＤスタンド１０のモードが演習モードに設定されたことを示す表示（例えば、前記「救急活動演習中」という表示）が行われる（ステップＳ２０）。
【０１２９】
ついで、ステップＳ２１においてＡＥＤ収納室Ｖ２からＡＥＤ３０が取り出されたか否かが第２リミットスイッチ７２からの検出信号によって判別され、ＡＥＤ３０がＡＥＤ収納室Ｖ２から取り出されたとき（ステップＳ２１でＹＥＳ）には、まず、赤色救急ランプ２９が点滅され（ステップＳ２２）、ついでＲＯＭ５２のＡＥＤ使用手順データ記憶部５２３に記憶されているＡＥＤ３０の使用手順が読み取られて第２表示部６２に表示される（ステップＳ２３）とともに、このＡＥＤ３０の使用手順の画面出力と同期してＲＯＭ５２の音声記憶部５２４に記憶されている音声情報が読み取られてスピーカ７９から音声出力される（ステップＳ２４）。
【０１３０】
かかる画面出力および音声出力によって、救助演習者は、たとえば被救助者を模したモデル人形を対象として、電極パッド３３の装着や電源スイッチ３１１の押釦、さらにはスタートスイッチ３１２の押釦等のＡＥＤ３０の操作を演習することができる。
【０１３１】
そして、演習モードにおいては、ＡＥＤ３０の使用手順が第２表示部６２に画像表示されている最中に非常に短い時間間隔でモード切り換えが行われたか否かがステップＳ２５で判別される。かかる判別が行われるのは、第２表示部６２に画像表示が行われている最中であっても、心臓発作の被救助者が発生したときには、ＡＥＤ３０を用いた救助活動が最優先されるからである。
【０１３２】
そして、ステップＳ２５でモードの切り替えが行われなかったとき（ステップＳ２５でＮＯ）には、ステップＳ２６でＡＥＤ３０の使用手順の第２表示部６２への画像表示が終了したか否かが判別され、終了していないときにはステップＳ２３に戻される一方、終了したとき（ステップＳ２６でＹＥＳ）には、後始末の工程であるステップＳ２７以降が実行される。
【０１３３】
すなわち、ＡＥＤ３０がＡＥＤ収納室Ｖ２へ収納され（ステップＳ２７でＹＥＳ）、かつ、上部開閉ドア２７が閉止される（ステップＳ２８でＹＥＳ）と、引き続き第１表示部６１に表示されていた、ＡＥＤスタンド１０のモードが演習モードであることを示す表示が通常モードを示す表示に変更され（ステップＳ２９）、さらに赤色救急ランプ２９が消灯（ステップＳ２９１）された後に元のステップＳ１へ戻される。
【０１３４】
これに対し、ステップＳ２５でＹＥＳのとき（すなわち、モードの切り替えが行われたとき）には、第２表示部６２への出力が停止（ステップＳ２５１）された後にステップＳ１へ戻される。
【０１３５】
最後にステップＳ３に戻り、当該ステップＳ３でＹＥＳの場合（すなわち、ＡＥＤスタンド１０のモードが解説モードに設定された場合）について説明する。この場合には、第１表示部６１にＡＥＤスタンド１０のモードが解説モードに設定されたことを示すタイトル（例えば、前記「ＡＥＤについて解説中」というタイトル）が表示され（ステップＳ３０）、引き続きＲＯＭ５２の解説データ記憶部５２２に記憶されているＡＥＤ３０についての解説データが読み取られ、この解説データ（解説文書）が第２表示部６２へ画面表示される（ステップＳ３１）。
【０１３６】
ついで、ステップＳ３２においてモードの切り替えが行われたか否かが判別され、切り替えが行われなかったとき（ステップＳ３２でＮＯ）には、解説が終了下かしたか否か（すなわち、解説画像の第２表示部６２への表示が終了したか否かが判別され、終了していないとき（ステップＳ３３でＮＯ）ときにはステップＳ３１へ戻される一方、終了したとき（ステップＳ３３でＮＯ）には解説モードが完了したとしてステップＳ１にスキップされる。
【０１３７】
一方、ステップＳ３２でモードの切り替えが行われたとき（ステップＳ３２でＹＥＳ）には、解説データの第２表示部６２への表示が中止されてステップＳ１に戻される。
【０１３８】
以上詳述したように、本発明に係るＡＥＤスタンド１０は、細動が生じた心臓に電気ショックを与えることにより除細動処置を施すＡＥＤ３０が収納された外装ハウジング２０およびこの外装ハウジング２０の開口を開閉可能に閉止する上部開閉ドア２７とが備えられてなるものであり、ＡＥＤ３０を使用する状態になっているか否かを判別するモード判別部５１１と、モード判別部５１１がＡＥＤ３０を使用する状態になっていると判別したとき、この状態を示す信号を第１通信回線L１を介して救急センター８１に向け出力するインタフェース５４とを備えた制御装置５０が設けられている。
【０１３９】
かかる構成によれば、心臓発作による被救助者の心臓の微細道を元の正常な脈動に回復させるべくＡＥＤ３０が使用される状態になったときには、制御装置５０のモード判別部５１１がそのことを判別し、この判別結果が第１通信回線L１を介して救急センター８１に伝送されるため、救助実行者は、心臓発作の被救助者が発生したことを救急センター８１に電話連絡等で知らせるという面倒な作業を行なわなくてもＡＥＤ３０を使用する状況であることが自動的に救急センター８１に伝達されるため、被救助者に対するＡＥＤ３０による細動解消のための操作に専念することができ、これによって救急センター８１への連絡に手間取っている間に被救助者への除細動の操作が遅れて手遅れになってしまったり、除細動が解消したが救急センター８１によるアフターケアーに到るまでに手間取ってしまったりして救命に失敗するような不都合の発生を有効に防止することができる。
【０１４０】
また、モード判別部５１１からインタフェース５４を介して救急センター８１に向けて出力する信号には、ＡＥＤ３０が設置されている場所を特定するための登録番号（識別情報）が含まれているため、ＡＥＤスタンド１０と救急センター８１とが一対一の通信回線で結ばれておらず、多数のＡＥＤスタンド１０が救急センター８１と結ばれているような場合であっても、救急センター８１は、どこのＡＥＤスタンド１０から信号が発信されたかを知ることができ、迷わずそのＡＥＤスタンド１０が設けられている場所へ向かうことができる。
【０１４１】
また、外装ハウジング２０または上部開閉ドア２７には、当該上部開閉ドア２７の開閉状態を検出する開閉センサとしての第１リミットスイッチ７１が設けられ、モード判別部５１１は、第１リミットスイッチ７１から上部開閉ドア２７開放の検出信号が入力されることにより上部開閉ドア２７が開放されたと判別するようになされているため、モード判別部５１１は、上部開閉ドア２７が開放されるとそのことを検出した第１リミットスイッチ７１からの検出信号に基づきＡＥＤ３０を使用する状態になっていると判別し、これに基づきインタフェース５４は、救急センター８１に向けてＡＥＤ３０が使用される状態になっている旨の信号を迅速に出力することができる。
【０１４２】
また、外装ハウジング２０には、第１表示部６１および第２表示部６２からなる表示装置６０と、スピーカ７９とが設けられ、モード判別部５１１がＡＥＤ３０を使用する状態であると判別したとき、第２リミットスイッチ７２およびスピーカ７９に向けてＡＥＤ３０の使用手順を報知させるべき制御信号を制御信号出力部５１２に出力させるようになされているため、ＡＥＤ３０の使用に当たり、救助実行者は、第２リミットスイッチ７２およびスピーカ７９が報知する手順に基づき被救助者に対しＡＥＤ３０を使用することができ、ＡＥＤ３０を誤りのない正しい方法で迅速に使用することができる。
【０１４３】
また、ＡＥＤスタンド１０のモードが通常モードのときには、サポートセンター８２から伝送された広告情報を第２表示部６２に画像出力させるようになされているため、ＡＥＤ３０が使用されない通常モードにおいて第２表示部６２を各種の情報を報知する道具として有効に利用することができる。
【０１４４】
本発明は上記の実施形態に限定されるものではなく、以下の内容をも包含するものである。
【０１４５】
（１）上記の実施形態においては、上部開閉ドア２７が開放されたことを検出する第１リミットスイッチ７１の検出信号が一旦モード判別部５１１に入力された後、このモード判別部５１１からインタフェース５４を介して救急センター８１へ緊急信号が送信されるようになされているが、こうする代わりにモード判別部５１１を経由することなく、第１リミットスイッチ７１の検出信号を緊急信号として直接インタフェース５４から救急センター８１へ送信するようにしてもよい。
【０１４６】
（２）上記の実施形態においては、ＡＥＤスタンド１０の外装ハウジング２０に関連物品収納室Ｖ３が設けられているが、本発明は、外装ハウジング２０に関連物品収納室Ｖ３を設けることに限定されるものではなく、特に関連物品収納室Ｖ３を設けなくてもよい。
【０１４７】
（３）上記の実施形態においては、ＡＥＤスタンド１０の外装ハウジング２０におけるＡＥＤ収納室Ｖ２に仕切り板２６１が設けられて当該ＡＥＤ収納室Ｖ２が上下２室に区分されているが、本発明は、ＡＥＤ収納室Ｖ２を上下２室に区分することに限定されるものではなく、仕切り板２６１を設けずに１室としてもよい。
【０１４８】
（４）上記の実施形態において、ＡＥＤ３０のＬＣＤモニタ３１３に出力表示された心電図を、無線でインタフェース５４および第１通信回線L１を介して救急センター８１の制御装置８１１へ伝送し、救急センター８１側で当該心電図を視認し得るようにしてもよい。こうすることによって、救急センター８１側は、事態の緊急度を把握することができるため、この緊急度を救急車の派遣等の救急活動に反映させることができる。
【０１４９】
また、これに加えて救急センター８１側から第１通信回線L１を介してＡＥＤスタンド１０側に向けて救急活動に関するコメントを伝送し得るようにしておけば、ＡＥＤスタンド１０側でさらに適切な救急活動の実行されることが期待される。
【０１５０】
さらに、ＡＥＤスタンド１０内の適所（例えばＡＥＤ収納室Ｖ２内の下段（図２参照））にＣＣＤ（ｃｈａｒｇｅ  ｃｏｕｐｌｅｄ  ｄｅｖｉｃｅ）カメラＣＣＤカメラ（動画を撮影して送信し得るものを含む）を収納しておき、このＣＣＤカメラで撮影した被救助者の状態を第１通信回線L１を介して救急センター８１へ送信し得るようにしておけば、救急センター８１側は、被救助者の状態を視覚的に確認することができるため、救助実行者に対してより適切なコメントを与えることができる。
【０１５１】
（５）上記の本実施形態において、ＡＥＤスタンド１０のモードが演習モードに設定された状態で、たとえ第２表示部６２に使用手順が出力されている最中であっても、上部開閉ドア２７を閉止することのみによる第１リミットスイッチ７１の被押圧によって演習モードが終了するようにしてもよい。こうすることによって、例えばメンテナンス作業のためにＡＥＤ収納室Ｖ２からＡＥＤ３０を取り出す必要があるときなど、モード切替えボタン７３を押釦したのち一旦上部開閉ドア２７を開放してＡＥＤ収納室Ｖ２からＡＥＤ３０を取り出し、引き続き上部開閉ドア２７を閉止すれば、第２表示部６２に使用手順が出力されることなくＡＥＤ３０にメンテナンス作業を施すことができる。
【０１５２】
（６）上記の実施形態においては、表示装置６０として、ＡＥＤスタンド１０のモードを示すタイトルが表示される第１表示部６１と、ＡＥＤスタンド１０のモードが通常モードのときに広告情報を画像出力する一方、ＡＥＤスタンド１０のモードが通常モード以外のモードに設定されているときは、所定の文字出力が行われる第２表示部６２とが設けられているが、本発明は、これら第１表示部６１および第２表示部６２の双方を設けることに限定されるものではなく、少なくとも第１表示部６１の設置を省略してもよい。
【０１５３】
（７）上記の実施形態においては、上部開閉ドア２７が開放されたことを検出する第１リミットスイッチ７１からの検出信号に基づきモード判別部５１１がＡＥＤ３０を使用する状態になっていることを示す信号を救急センター８１の制御装置８１１へむけて伝送するようになされているが、こうする代わりに、モード判別部５１１は、第２リミットスイッチ７２からＡＥＤ３０が取り出されたことを示す検出信号が入力されることによりモード判別部５１１は、救急センター８１に向けてＡＥＤ３０が使用される状態になっている旨の信号を出力するようにしてもよい。こうすることによって、ＡＥＤ３０が外装ハウジング２０から取り出されないとインタフェース５４からの信号が救急センター８１に向けて出力されないため、誤って上部開閉ドア２７が開放されても救急センター８１に信号が伝送されることがなく、実際にＡＥＤ３０を使用する状況ではないにも拘わらずに救急センター８１からの出動がなされるような不都合の発生を有効に防止することができる。
【０１５４】
（８）上記の実施形態においては、救急センター８１として消防署が想定されているが、本発明は、救急センター８１が消防署であることに限定されるものではなく、救急病院であってもよい。
【０１５５】
（９）上記の実施形態においては、ＡＥＤスタンド１０のモードが通常モードに設定されている状態において、サポートセンター８２から伝送された広告情報が第２表示部６２に画像情報として表示出力されるようになされているが、こうする代わりに、更新可能な記憶装置であるＲＡＭ５３に広告情報を記憶させ、このＲＡＭ５３に記憶されている広告情報を第２表示部６２へ出力させるようにしてもよい。
【０１５６】
（１０）上記の実施形態においては、メンテナンス作業などのために上部開閉ドア２７を開けてＡＥＤ収納室Ｖ２からＡＥＤ３０を取り出すに際し、上部開閉ドア２７を開放しても緊急信号が救急センター８１へ向けて送信されないようにするために、モード切替えボタン７３を押釦して、演習モードを擬制することが行われるが、こうする代わりに緊急信号の送信を停止する操作部（例えば専用の操作ボタン）を設けてもよい。こうすることによって、第２表示部６２にＡＥＤ３０の使用手順が画像出力されるようなことが起こらないようにした上で、上部開閉ドア２７を開放してＡＥＤ収納室Ｖ２からＡＥＤ３０を取り出すことができる。
【０１５７】
因みに、上記の実施形態においては、モード切替えボタン７３が緊急信号の送信停止のための本発明に係る操作部として兼用されていることになる。
【図面の簡単な説明】
【０１５８】
【図１】本発明に係る除細動器収納スタンド（ＡＥＤスタンド）の一実施形態を示す斜視図であり、上部開閉蓋が閉止された状態を示している。
【図２】図１に示すＡＥＤスタンドの上部開閉蓋が開放された状態を示す斜視図である。
【図３】ＡＥＤ収納室内の様子を説明するべく上部開閉ドアが開放された状態を示すＡＥＤスタンドの部分斜視図である。
【図４】ＡＥＤの一実勢形態の外観を示す図であり、（Ａ）は、ＡＥＤがケースに収納された状態を示す斜視図、（Ｂ）は、ケースから取り出されたＡＥＤを示す一部切欠き斜視図である。
【図５】ＡＥＤの使用方法を説明するための説明図である。
【図６】制御装置５０によるＡＥＤ３０を用いた救助活動援助の制御を説明するためのブロック図である。
【図７】制御装置によるＡＥＤスタンドのモード設定制御のフローの一実施形態を示すフローチャートの前半部分である。
【図８】制御装置によるＡＥＤスタンドのモード設定制御のフローの一実施形態を示すフローチャートの後半部分である。
【符号の説明】
【０１５９】
１０  スタンド              ２０  外装ハウジング（スタンド本体）
２７  上部開閉ドア（蓋体）  ２９  赤色救急ランプ
３０  ＡＥＤ（除細動器）    ３１  ＡＥＤ本体
３１１  電源スイッチ        ３１２  電気ショックスイッチ
３１３  ＬＣＤモニタ        ３３  電極パッド
３４  外部記憶装置          ５０  制御装置（制御手段）
５１  ＣＰＵ                ５１１  モード判別部（使用状態判別部）
５１２  制御信号出力部      ５２  ＲＯＭ
５２１  タイトル記憶部      ５２２  解説データ記憶部
５２３  使用手順データ記憶部
５２４  音声記憶部          ５３  ＲＡＭ
５４  インタフェース（信号送信部）
６０  表示装置（報知部）    ６１  第１表示部（報知部、画像表示装置）
６２  第２表示部（報知部、画像表示装置）
７０  リミットスイッチ      ７１  第１リミットスイッチ
７２  第２リミットスイッチ（取り出しセンサ）
７３  モード切替えボタン    ７４  解説ボタン
７９  スピーカ（報知部）    ８１  救急センター
８２  サポートセンター      ８２２  記憶装置（情報源）
【図１】
2007244804.tif 000003
【図２】
2007244804.tif 000004
【図３】
2007244804.tif 000005
【図４】
2007244804.tif 000006
【図５】
2007244804.tif 000007
【図６】
2007244804.tif 000008
【図７】
2007244804.tif 000009
【図８】
2007244804.tif 000010